(57)【要約】  複数の第１のタイプの層と、一対の隣接する第１のタイプの層の間に配設された複数の第２のタイプの層と、を含む管状体であって、複数の第１のタイプの層は、少なくとも２つの第１のタイプの層を含み、複数の第２のタイプの層は、少なくとも２つの第２のタイプの層を含み、同じ温度で測定したとき、複数の第１のタイプの層の各々のメルトフローインデックスＭＦＩ１は、複数の第２のタイプの層の各々のメルトフローインデックスＭＦＩ２とは異なる、管状体。一実施形態では、第１のタイプの層および第２のタイプの層のうちの少なくとも１つは、管状体からの気体、液体、またはそれらの組み合わせの漏出に対して障壁を提供するように適合されている。【選択図】図１
2019516931.tif 000002
【特許請求の範囲】
【請求項１】
管状体であって、
複数の第１のタイプの層と、
一対の隣接する第１のタイプの層の間にそれぞれ配設された複数の第２のタイプの層と、を備え、
前記複数の第１のタイプの層は、少なくとも２つの第１のタイプの層を含み、前記複数の第２のタイプの層は、少なくとも２つの第２のタイプの層を含み、かつ、同じ温度で測定したとき、前記複数の第１のタイプの層の各々のメルトフローインデックスＭＦＩ１は、前記複数の第２のタイプの層の各々のメルトフローインデックスＭＦＩ２とは異なる、管状体。
【請求項２】
管状体であって、
少なくとも１０の層を含む細長い構造体を備え、前記層は、
複数の第１のタイプの層と、
複数の第２のタイプの層と、を備え、
前記第１のタイプの層は、基準温度で測定したとき、第１の粘度Ｖ１を有し、前記第２のタイプの層は、前記基準温度で測定したとき、第２の粘度Ｖ２を有し、かつ、Ｖ１／Ｖ２は、少なくとも１．０１、少なくとも１．０５、少なくとも１．５、少なくとも２．０、少なくとも３．０、少なくとも４．０、少なくとも５．０、少なくとも１０．０、または少なくとも２５．０である、管状体。
【請求項３】
管状体であって、
複数の層を含む細長い構造体を備え、最も内側の層は、前記細長い構造体の少なくとも一部に沿って延在する開口を画定し、半径方向に隣接する層は、異なる材料を含み、かつ、前記異なる材料は、同じ基準温度で測定したときに異なる粘度を有する、管状体。
【請求項４】
前記第１のタイプの層は、基準温度で測定したとき、第１の粘度Ｖ１を有し、前記第２のタイプの層は、前記基準温度で測定したとき、第２の粘度Ｖ２を有し、かつ、Ｖ１／Ｖ２は少なくとも１．０１、少なくとも１．０５、少なくとも１．５、少なくとも２．０、少なくとも３．０、少なくとも４．０、少なくとも５．０、少なくとも１０．０、または少なくとも２５．０である、請求項１および３のいずれか１項に記載の管状体。
【請求項５】
Ｖ１／Ｖ２は、２００．０以下、１００．０以下、または５０以下である、請求項１、３および４のいずれか１項に記載の管状体。
【請求項６】
前記基準温度は、高温であるか、または前記基準温度は、前記第１のタイプの層および第２のタイプの層の前記材料が容易に流れる温度である、請求項２〜５のいずれか１項に記載の管状体。
【請求項７】
前記第１のタイプの層は、メルトフローインデックスＭＦＩ１を有し、前記第２のタイプの層は、メルトフローインデックスＭＦＩ２を有し、かつ、ＭＦＩ１はＭＦＩ２とは異なる、請求項２〜６のいずれか１項に記載の管状体。
【請求項８】
ＭＦＩ１は、少なくとも１．０１ＭＦＩ２、少なくとも１．０５ＭＦＩ２、少なくとも１．１ＭＦＩ２、少なくとも１．５ＭＦＩ２、少なくとも２．０ＭＦＩ２、少なくとも３．０ＭＦＩ２、少なくとも４．０ＭＦＩ２、少なくとも５．０ＭＦＩ２、または少なくとも１０．０ＭＦＩ２である、請求項１および７のいずれか１項に記載の管状体。
【請求項９】
ＭＦＩ１は、２００．０ＭＦＩ２以下、１００．０ＭＦＩ２以下、または５０ＭＦＩ２以下である、請求項１、７および８のいずれか１項に記載の管状体。
【請求項１０】
前記第１のタイプの層は第１の厚さを有し、前記第２のタイプの層は第２の厚さを有し、かつ、前記第１の厚さは前記第２の厚さとは異なる、請求項１〜９のいずれか１項に記載の管状体。
【請求項１１】
前記第１の厚さは、前記第２の厚さの少なくとも１０１％、前記第２の厚さの少なくとも１０５％、前記第２の厚さの少なくとも１１０％、前記第２の厚さの少なくとも１５０％、前記第２の厚さの少なくとも２００％、または前記第２の厚さの少なくとも５００％である、請求項１０に記載の管状体。
【請求項１２】
前記第２の厚さは、前記第１の厚さの少なくとも１０１％、前記第１の厚さの少なくとも１０５％、前記第１の厚さの少なくとも１１０％、前記第１の厚さの少なくとも１５０％、前記第１の厚さの少なくとも２００％、または前記第１の厚さの少なくとも５００％である、請求項１０に記載の管状体。
【請求項１３】
前記管状体は、本質的に溶接線を含まない、請求項１〜１２のいずれか１項に記載の管状体。
【請求項１４】
前記第１のタイプの層および前記第２のタイプの層のうちの少なくとも１つは、管状体からの炭化水素、アルコール、気体、液体、またはそれらの組み合わせの漏出に対して障壁を提供するように適合されている、請求項１〜１３のいずれか１項に記載の管状体。
【請求項１５】
少なくとも１つの第３のタイプの層をさらに備える、請求項１〜１４のいずれか１項に記載の管状体。
【発明の詳細な説明】
【技術分野】
【０００１】
本開示は、管状体、およびその形成に関連する装置およびプロセスに関する。
【背景技術】
【０００２】
多層構造を有する従来の管状構造体は、管状体側壁を形成する層の数に制限がある。管状構造体を形成する従来のプロセスは、管状構造体をわずか３層に、および多くても１２層に制限する。より少ない層の結果として、層は典型的には厚く、剛性であり、多くの管状体用途には不適当である。さらに、層の部分を分離する溶接線の導入は、使用中に破損を受けやすい弱点を生み出す。
【０００３】
産業界は、困難な環境で流体輸送を提供するために、改善された管状体と同時にその製造に関連するプロセスおよび装置を要求し続けている。
【図面の簡単な説明】
【０００４】
実施形態が例として例証され、これは添付の図面に限定されるものではない。
【０００５】
【図１】一実施形態による、管状体の斜視図である。
【図２】一実施形態による、図１のＡ−Ａ線に沿って見た管状体の断面立面図である。
【図３】一実施形態による、管状体を形成するために使用される装置の斜視図である。
【図４】一実施形態による、装置の回転要素の斜視図である。
【０００６】
当業者は、図中の要素が、単純性および明瞭性のために例証され、必ずしも縮尺通りに描写されているわけではないことを認識する。例えば、図中のいくつかの要素の寸法は、本発明の実施形態の理解の向上に役立つように他の要素に対して誇張される場合がある。
【発明を実施するための形態】
【０００７】
以下の説明は、図と組み合わせて、本明細書に開示される教示の理解を助けるために提供される。以下の考察は、教示の特定の実装および実施形態に焦点を合わせる。この焦点は、教示の説明を助けるために提供され、教示の範囲または適用性を限定するものとして解釈されるべきではない。
【０００８】
用語「備える（ｃｏｍｐｒｉｓｅｓ）」、「備えている（ｃｏｍｐｒｉｓｉｎｇ）」、「含む（ｉｎｃｌｕｄｅｓ）」、「含んでいる（ｉｎｃｌｕｄｉｎｇ）」、「有する（ｈａｓ）」、「有している（ｈａｖｉｎｇ）」、またはそれらの任意の他の変形は、非排他的包含を網羅することを意図する。例えば、特徴の列挙を含むプロセス、方法、物品、または装置は、必ずしもそれらの特徴のみに限定されるわけではないが、明確には列挙されていないか、またはこのようなプロセス、方法、物品、もしくは装置に固有である他の特徴を含んでもよい。さらに、そうではないと明確に記載されない限り、「または（ｏｒ）」は、包含的または（ｉｎｃｌｕｓｉｖｅ−ｏｒ）を指し、排他的または（ｅｘｃｌｕｓｉｖｅ−ｏｒ）を指すものではない。例えば、条件ＡまたはＢは、以下のうちのいずれか１つよって満たされる：Ａが真であり（または存在し）かつＢが偽である（または存在しない）、Ａが偽であり（または存在しない）かつＢが真である（または存在する）、およびＡとＢの両方が真である（または存在する）。
【０００９】
また、「１つの（ａ）」または「１つの（ａｎ）」の使用は、本明細書に記載の要素および構成要素を説明するために用いられる。これは、単に便宜性のために、また本発明の範囲の一般的な意味を付与するために行われる。この説明は、それがそうではないように意味されることが明白でない限り、１つ、少なくとも１つを含むように読まれるべきであり、また、単数形は複数形も含み、逆も同様である。
【００１０】
他に定義されない限り、用語「垂直の」、「水平の」、および「側方の」は、図に示された向きに関連する方向付けの向きを指すものとする。
【００１１】
別段に定義されない限り、本明細書に使用される全ての技術的および科学的用語は、本発明が属する技術分野の当業者によって通常理解されるものと同じ意味を有する。材料、方法、および実施例は、単に例証的なものであり、限定的であることを意図されない。本明細書に記載されていない限り、特定の材料および処理行為に関する多くの詳細は、型通りのものであり、教科書や管状体および多重技術内の他の情報源に見出され得る。
【００１２】
本明細書に記載の１つ以上の実施形態による管状体は、概して、少なくとも２つの層、少なくとも５つの層、少なくとも２５の層、少なくとも１００の層、または少なくとも１０００の層のような複数の層から形成される細長い構造体を含むことができる。層は、細長い構造体の周囲に共に配列された複数の第１のタイプの層および複数の第２のタイプの層を含むことができる。一実施形態では、複数の第１のタイプの層の隣接する層は、複数の第２のタイプの層の少なくとも１つの層によって互いに離間させることができる。第１および第２のタイプの層は、例えば、基準温度での粘度、特定の物質に対する浸透性、強度、弾性、またはそれらの任意の組み合わせなどの特定の属性において、互いに異なることができる。
【００１３】
管状体は、細長い構造体の少なくとも一部に沿って延在する中央開口を画定することができる。一実施形態では、開口は、管状体の長さの少なくとも２５％に沿って、管状体の長さの少なくとも５０％に沿って、管状体の長さの少なくとも７５％に沿って、または管状体の長さの少なくとも９９％に沿って延在することができる。一実施形態では、開口は管状体の全長に沿って延在することができる。
【００１４】
流体および他の媒体は、開口を通して輸送することができ、そこに輸送されている流体または他の媒体を使用または受容する、燃料噴射器、混合バッグなどの容器、製薬部品、医療機器、食品および飲料製品、または任意の他の同様の機器などの特定の場所に送達することができる。
【００１５】
図面を参照すると、図１は、一実施形態による管状体１００の斜視図を含む。管状体１００は、中心軸１０２に概ね平行な長さＬと、中心軸１０２に垂直に延びる半径Ｒとを有する。開口１０４は、管状体１００の内層１０６によって画定され得る。開口１０４は、管状体１００の長さの少なくとも２５％に沿って、管状体１００の長さの少なくとも５０％に沿って、管状体１００の長さの少なくとも７５％に沿って、また管状体１００の長さの少なくとも９９％に沿って延在することができる。一実施形態では、開口１０４は、管状体１００の全長に沿って延在することができる。開口１０４は、管状体１００の長さＬに沿って測定した場合、均一な輪郭を有することができる。別の実施形態では、開口１０４のサイズまたは形状は、開口１０４のサイズまたは形状が第２の場所と比較して第１の場所で異なるように、管状体１００の長さＬに沿って変化してもよい。
【００１６】
管状体の外層１０８は、管状体１００の外面面積の少なくとも１０％に沿って、管状体１００の外面面積の少なくとも５０％に沿って、管状体１００の外面面積の少なくとも７５％に沿って、または管状体１００の外面面積の少なくとも９９％に沿って延在することができる。一実施形態では、外層１０８は、管状体１００の外面面積全体に沿って延在することができる。特定の実施形態では、内層１０６と外層１０８との少なくとも１つは、内層１０６と外層１０８との間に配設された任意の層とは異なる材料から本質的に構成することができる。非限定的な例として、内層１０６および外層１０８の少なくとも１つは、厚さ、材料、多孔性、可撓性、弾性、不活性、またはそれらの任意の組み合わせにおいて、他の層とは異なることができる。
【００１７】
一実施形態では、内層１０６と外層１０８との間の層１１０は、第１のタイプの層および第２のタイプの層を含むことができる。例えば、図２を参照すると、層１１０は、複数の第１のタイプの層２０２および複数の第２のタイプの層２０４を含むことができる。別の実施形態では、層１１０は、第１および第２のタイプの層２０２および２０４とは異なる第３のタイプの層、第４のタイプの層、第５のタイプの層、第６のタイプの層、第７のタイプの層、または任意の数の他のタイプの層を含むことができる。一実施形態では、各異なるタイプの層は、厚さ、材料、多孔性、可撓性、化学的不活性、浸透性、またはそれらの任意の組み合わせなどの少なくとも１つの方法で他の層と異なることができる。
【００１８】
一実施形態において、各第１のタイプの層２０２は、第２のタイプの層２０４によって半径方向に隣接する第１のタイプの層２０２から離間している。この交互の配列は、管状体１００の強度、浸透性、可撓性、または任意の他の適切な機械的特性を高めることができる。さらに、交互の層の使用は、管状体内の穴の開いたまたは他の方法で損傷した層の影響を軽減することによって、管状体の破損を減少させ得る。例えば、鋭利な物体によって形成された穴は、１００層を含む管状体の最も外側の５０層を貫通する可能性がある。層の特性を交互に変えることによって、下にある５０層が管状体の本来の特性を維持することができる。反対に、管状体の最も外側の５０層が第１の特性を有し、管状体の最も内側の５０層が第２の特性を有するように形成することは、第１の特性に関して管状体の破損をもたらす可能性がある。すなわち、外側５０層に形成された穴は、最も外側の５０層によって生み出される所望の特性を減じ得る。
【００１９】
一実施形態では、管状体１００、またはその中に配設された１つ以上の層１１０は、開口１０４からの気体、液体、またはそれらの組み合わせの漏出に対して障壁を提供することができる。特定の実施形態では、管状体１００は、炭化水素、アルコール、医療用媒体、食品または飲料に関連する媒体などの漏出を防止することができる。
【００２０】
特定の例では、管状体１００は、少なくとも２つの層、少なくとも５つの層、少なくとも１０の層、少なくとも２０の層、少なくとも５０の層、少なくとも１００の層、少なくとも２００の層、少なくとも５００の層、少なくとも１０００個の層、少なくとも２０００の層、少なくとも３０００の層、少なくとも４０００の層、または少なくとも５０００の層を含むことができる。別の例では、管状体１００は、２０，０００以下の層、１０，０００以下の層、または５，０００以下の層を含む。管状体１００は、５層から１０，０００層の範囲、２０層から５０００層の範囲、または１００層から３０００層の範囲など、上記値の間の範囲内の任意の数の層１１０を含むことができる。
【００２１】
一実施形態では、第１および第２のタイプの層２０２および２０４は、１：１（各層を交互にする）以外のシーケンスを使用してずらすことができる。非限定的な例として、隣接する第１のタイプの層２０２は、２つの第２のタイプの層２０４、３つの第２のタイプの層２０４、または任意の他の適切な数の第２のタイプの層２０４によって離間させることができる。別の例では、隣接する第１のタイプの層２０２の異なる対を、異なる数の第２のタイプの層２０４によって離間させることができる。特定の実施形態では、第１または第２のタイプの層２０２および２０４は、管状体１００の特定の領域でより高度に集中されてもよい。例えば、非限定的な実施形態として、開口１０４の近くの場所で、管状体１００は、隣接する第１のタイプの層２０２の間に５つの第２のタイプの層２０４を含むことができ、それに対して管状体１００の外面２０８の近くでは、隣接する第１のタイプの層２０２の各対は、１つの第２のタイプの層２０４だけによって離間させることができる。層１１０の配列および空間分布は、任意のシーケンスを使用して行うことができる。一実施形態では、第２のタイプの層２０４に対する第１のタイプの層２０２の数の比［第１のタイプの層／第２のタイプの層］は、０．０１〜１００の範囲、例えば０．１〜７５の範囲、１〜２０の範囲、または１〜５の範囲であることができる。
【００２２】
図２に図示されているように、一実施形態では、層１１０は、互いに比較して異なる厚さを有することができる。例えば、第１のタイプの層は第１の厚さを有することができ、第２のタイプの層は第１の厚さとは異なる第２の厚さを有することができる。一実施形態では、第１の厚さは、第２の厚さの少なくとも１０１％、第２の厚さの少なくとも１０５％、第２の厚さの少なくとも１１０％、第２の厚さの少なくとも１５０％、第２の厚さの少なくとも２００％、または第２の厚さの少なくとも５００％である。別の実施形態では、第１の厚さは第２の厚さの１０，０００％以下である。別の実施形態では、第２の厚さは、第１の厚さの少なくとも１０１％、第１の厚さの少なくとも１０５％、第１の厚さの少なくとも１１０％、第１の厚さの少なくとも１５０％、第１の厚さの少なくとも２００％、または第１の厚さの少なくとも５００％である。さらなる実施形態では、第２の厚さは第１の厚さの１０，０００％以下である。
【００２３】
第３のタイプ、第４のタイプ、第５のタイプ、第６のタイプ、第７のタイプ、または任意の他のタイプの層を層１１０に含めることができる。第３のタイプ、第４のタイプ、第５のタイプ、第６のタイプ、第７のタイプなどの層は、所定のシーケンス（例えば内側の位置から外側の位置へ：第１のタイプ、第２のタイプ、第３のタイプ、第１のタイプ、第２のタイプ、第３のタイプ）で、またはランダム分布（例えば、内側の位置から外側の位置へ：第１のタイプ、第６のタイプ、第２のタイプ、第２のタイプ、第４のタイプ、第７のタイプ、第１のタイプ、など）で、配列することができる。層１１０の空間的配列は、処理装置の特定の適用または制限に基づいて調整または変更することができる。
【００２４】
一実施形態では、管状体１００は、内側または外側のキャップ層（図示せず）をさらに含むことができる。内側または外側のキャップ層は、例えば、管状体１００がダイ（以下に詳細に説明される）から射出しているときに管状体１００上に押し出され得る。
【００２５】
図２に図示するように、管状体１００は本質的に溶接線を含まないようにできる。本明細書で使用される場合、溶接線を「本質的に含まない」本体は、管状体の半分、３分の１、４分の１などの間に容易に識別可能な目に見える接合部を含まない。従来の多層管は、半割体の間に（例えば、管の直径方向の反対側に）形成された顕著な接合部を含むが、管状体１００は、容易に識別可能な目に見える接合部を含まなくてもよい。すなわち、図２に図示するように、層１１０は、管状体１００の円周のまわりに連続して見え得る。溶接線の削減または除去は、漏れまたは他の同様に望ましくない特性の影響を受けやすい管状体の弱化部分の発生を低減することによって、管状体１００の構造的強度を増加させることができる。以下でより詳細に説明するように、溶接線の脱落は、形成プロセスの少なくとも一部の間に管状体１００の回転を介して行うことができる。管状体１００を形成するために使用される構造体の内側部材、外側部材、またはそれらの組み合わせを回転させることは、溶接線の発生をずらすことができ、除去することさえできる。
【００２６】
一実施形態において、第１のタイプの層２０２は、基準温度で測定するとき、粘度において第２のタイプの層２０４とは異なることができる。特定の実施形態では、基準温度は、第１および第２のタイプの層２０２、２０４の溶融温度などの高温である。より特定の実施形態では、基準温度は、第１または第２のタイプの層２０２または２０４のうちのより高い溶融温度に関連付けられた溶融温度である。例えば、非限定的な実施形態として、第１のタイプの層２０２は約２６０℃の溶融温度を有することができ、第２のタイプの層２０４は約３３０℃の溶融温度を有することができる。この例では、３３０℃で第１および第２のタイプの層２０２および２０４の両方が溶融されて動作可能であるので、基準温度は３３０℃にすることができる。
【００２７】
一実施形態において、第１のタイプの層２０２は、基準温度で測定されるとき、第１の粘度Ｖ１を有することができ、第２のタイプの層２０４は、基準温度で測定されるとき、第２の粘度Ｖ２を有することができ、ここでＶ１はＶ２とは異なる。一実施形態において、Ｖ１／Ｖ２の比は、少なくとも１．０１、少なくとも１．０５、少なくとも１．５、少なくとも２．０、少なくとも３．０、少なくとも４．０、少なくとも５．０、少なくとも１０．０、または少なくとも２５．０である。別の実施形態では、Ｖ１／Ｖ２の比は、２００．０以下、１５０．０以下、１００．０以下、７５．０以下、または５０．０以下である。従来の多層管は、異なる自然発生粘度の材料を有することができる一方で、従来の多層管の材料は、管の異なる層の材料の粘度を同じに改変する充填剤を含む。したがって、従来のプロセスおよびアセンブリによって形成された多層管は、それらの間に異なる化学組成が与えられて異なる粘度を有する層を有するように見えるかもしれないが、材料に導入された充填剤はそれらの粘度を実質的に同じにする。今日まで、多層管形成プロセスまたは装置で、材料の溶融温度などの基準温度で異なる粘度を有する材料で形成された層を有する多層管の形成を提供しているものはない。
【００２８】
一実施形態において、第１のタイプの層２０２は、第１のメルトフローインデックスＭＦＩ１を有することができ、第２のタイプの層２０４は、ＭＦＩ１とは異なる第２のメルトフローインデックスＭＦＩ２を有することができる。一実施形態において、ＭＦＩ１は、少なくとも１．０１ＭＦＩ２、少なくとも１．０５ＭＦＩ２、少なくとも１．１ＭＦＩ２、少なくとも１．５ＭＦＩ２、少なくとも２．０ＭＦＩ２、少なくとも３．０ＭＦＩ２、少なくとも４．０ＭＦＩ２、少なくとも５．０ＭＦＩ２、または少なくとも１０．０ＭＦＩ２である。別の実施形態において、ＭＦＩ１は、２００．０ＭＦＩ２以下、１００．０ＭＦＩ２以下、または５０ＭＦＩ２以下である。メルトフローインデックス（ＭＦＩ）は、ポリマーの流れの尺度であり、予め設定された圧力および温度下で１０分間、特定の直径および長さの毛細管を流れるポリマーの質量として定義される。メルトフローインデックスは、ＡＳＴＭ  Ｄ１２３８またはＩＳＯ１１３３−１に従って計算することができる。メルトフローインデックスは、典型的には粘度の逆数である。
【００２９】
例えば、第３のタイプの層、第４のタイプの層、第５のタイプの層、第６のタイプの層、第７のタイプの層などを含む実施形態では、層のメルトフローインデックスは異なっていても同じであってもよい。例えば、第３のタイプの層を含む管状体１００において、第３のタイプの層は、ＭＦＩ１およびＭＦＩ２の少なくとも１つ、たとえば両方とも異なる、第３のメルトフローインデックスＭＦＩ３を有することができる。一実施形態では、ＭＦＩ３はＭＦＩ１およびＭＦＩ２より小さい。別の実施形態において、ＭＦＩ３は、ＭＦＩ１とＭＦＩ２との間にある。さらなる実施形態では、ＭＦＩ３は、ＭＦＩ１およびＭＦＩ２より大きい。別の実施形態では、ＭＦＩ３は、第１のタイプの層、ＭＦＩ１、または第２のタイプの層、ＭＦＩ２、の少なくとも一方と実質的に同じである。同様に、第４のタイプの層、第５のタイプの層、第６のタイプの層、第７のタイプの層、等のメルトフローインデックスはＭＦＩ１、ＭＦＩ２、またはＭＦＩ３と異なることができる。
【００３０】
一実施形態では、第１のタイプの層２０２および第２のタイプの層２０４などの層１１０は、熱可塑性プラスチックなどのポリマーを含むことができる。より特定の実施形態では、第１のタイプの層２０２および第２のタイプの層２０４は、異なる熱可塑性プラスチックなどの、互いに比較して異なるポリマーを含むことができる。例えば、層１１０は、フルオロエラストマー（ＦＫＭ）、パーフルオロエラストマー（ＦＦＫＭ）、テトラフルオロエチレン／プロピレンゴム（ＦＥＰＭ）、またはそれらの任意の組み合わせを含むことができる。他の例示的なポリマーは、ポリ（メタクリル酸メチル）（ＰＭＭＡ）、アクリロニトリルブタジエンスチレン（ＡＢＳ）、ポリアミド、ポリベンズイミダゾール（ＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリイソプレン（ＩＲ）、ポリブタジエン（ＢＲ）、ポリフェニレンオキシド（（ＰＰＯ）、ポリフェニレンスルフィド（ＰＰＳ）、ポリプロピレン（ＰＰ）、ポリスチレン、ポリ塩化ビニル（ＰＶＣ）、ポリフッ化ビニリデン（ＰＶＤＦ）、ポリテトラフルオロエチレン（ＰＴＦＥ）、スチレンエチレンブチレンスチレン（ＳＥＢＳ）、ポリ（スチレンブタジエンスチレン）（ＳＢＳ）、スチレンブタジエンコポリマー（ＳＢＲ）、熱可塑性ポリウレタン（ＴＰＵ）、エチレンビニルアルコール（ＥＶＯＨ）、天然ゴム、またはそれらの任意の組み合わせを含む。
【００３１】
一実施形態では、層１１０の少なくとも１つは、充填材料を含むことができる。例示的な充填剤は、繊維、ガラス繊維、炭素繊維、アラミド、無機材料、セラミック材料、炭素、カーボンブラック、シリカ、ガラス、グラファイト、酸化アルミニウム、硫化モリブデン、青銅、炭化ケイ素、織布、粉末、球体、熱可塑性材料、ポリイミド、ポリアミドイミド、ポリフェニレンスルフィド、ポリエーテルスルホン、ポリフェニレンスルホン、液晶ポリマー、ポリエーテルケトン、ポリエーテルエーテルケトン、芳香族ポリエステル、鉱物材料、ウォラストナイト、硫酸バリウム、またはその任意の組み合わせを含む。
【００３２】
図３は、前述の実施形態に従って管状体を形成するように適合された装置３００の簡略図を示す。装置３００は、第１の開口部３０４および第２の開口部３０６、整形部分３０８、接合要素３１０、および固定要素３１２を有するダイ３０２を含む。第１の開口部３０４は、第１の積層構造体（図示せず）を受け入れるように適合されている。第２の開口部３０６は、第２の積層構造体（図示せず）を受け入れるように適合されている。一実施形態では、第１の開口部３０４は第２の開口部３０６と平行である。別の実施形態では、第１および第２の開口部３０４および３０６の少なくとも１つは、概ね平面である。さらなる実施形態では、第１の開口部３０４は、第１の側面および第１の側面に対向する第２の側面を有し、第２の開口部３０６は、第１の側面および第１の側面に対向する第２の側面を有し、第１および第２の開口部３０４および３０６の第１の側面は直線に沿っており、第１および第２の開口部３０４および３０６の第２の側面は直線に沿っており、第１の線は第２の線と平行である。第１および第２の開口部３０４および３０６は、ダイ３０２の整形部分３０８への経路３１４および３１６を画定することができる。一実施形態では、ダイ３０２は、第１および第２の積層構造体の少なくとも１つを第１または第２の開口部３０４または３０６にそれぞれ移すように適合されたアダプタ（図示せず）をさらに含む。
【００３３】
一実施形態では、整形部分３０８は、第１および第２の積層構造体のうちの１つを受け入れるようにそれぞれ適合された２つの部分３１８および３２０を含む。積層構造体が整形部分３０８を介して付勢されると、積層構造体は半円形幾何形状に整形される。第１の積層構造体は、第１の半円形幾何形状を形成することができ、第２の積層構造体は、第２の半円形幾何形状を形成することができる。一実施形態では、第１の半円形幾何形状は、第２の半円形形状と実質的に同様であることができる。
【００３４】
整形された後、第１および第２の半円形幾何形状は、接合要素３１０によって一緒に接合され得る。接合要素３１０は、第１および第２の半円形幾何形状の円周端部を一緒にすることができる。次いで、固定要素３１２は、第１の半円形幾何形状と第２の半円形幾何形状を一緒に固定することができる。
【００３５】
固定要素３１２は、第１および第２の半円形幾何形状を一緒に固定するように適合された構成要素を含むことができる。特定の実施形態では、固定要素３１２は、第１の半円形幾何形状の円周端部の少なくとも一部を第２の半円幾何形状の円周端部の少なくとも一部と溶融するように適合された溶接要素を含む。固定要素３１２は、第１および第２の半円形幾何形状が適切な相対的な場所、向き、または位置で一緒に固定されるように、接合要素３１０に隣接して位置決めすることができる。特定の実施形態では、固定要素３１２は、第１および第２の半円形幾何形状が接合要素３１０を通過するのと実質的に同時に、第１および第２の半円形幾何形状を一緒に固定するように適合される。
【００３６】
一実施形態では、ダイ３０２は、第１の半円形幾何形状の一部、第２の半円形幾何形状の一部、またはそれらの組み合わせを回転させるように適合された回転要素４００（図４）を含むか、それに連結することができる。回転要素４００は、外部的または内部的に駆動することができ、ダイ３０２の１つ以上の表面を回転させることができる。回転要素４００は、例えば、モータまたは任意の他の適切な駆動要素によって駆動することができ、１つ以上のプーリー、ギア、ラック、ピニオン、ネジ、他の適切な機械的機構、またはそれらの任意の組み合わせを介して回転可能な表面に任意選択的に接続される。回転要素４００は、第１および第２の半円形幾何形状の内面、外面、または内面および外面の組み合わせに沿って、回転するか、または第１および第２半円形幾何形状の少なくとも１つに対して回転付勢力を提供することができる。特定の実施形態では、回転要素４００は、管状体１００の内面に沿った第１の回転力および管状体１００の外面に沿った第２の回転力を提供することができ、第１および第２の回転力は、互いに比較して反対方向または実質的に反対方向に向けられている。
【００３７】
特定の例では、回転要素４００は、０．１回転／分（ＲＰＭ）〜５００ＲＰＭの範囲で、１ＲＰＭ〜１００ＲＰＭの範囲で、１０ＲＰＭ〜９０ＲＰＭの範囲で、２５ＲＰＭ〜８８ＲＰＭの範囲で、または５０ＲＰＭ〜８５ＲＰＭの範囲で、その形成中に管状体１００を回転させるように適合されている。より具体的な例では、回転要素４００は、８０ＲＰＭおよび８５ＲＰＭの範囲で管状体１００またはその一部を回転させるように適合される。管状体１００の多重特性は、回転要素４００または回転要素４００によって駆動される回転面を通過する前、その間、およびその後に概して維持され得ることに留意されたい。
【００３８】
管状体１００またはその一部の回転は、管状体から溶接線の発生を低減するか、または除去することさえできる。上述したように、溶接線の除去は、例えば、管状体１００の物理的強度を増加させ、かつ気体または液体の漏出に対して管状体の障壁強度を増加させることができる。
【００３９】
特定の実施形態では、管状体１００を形成するプロセスは、一定の温度で行うことができる。すなわち、ダイ３０２内で形成中に、ダイ３０２を出るときおよびその部分に沿った管状体１００の温度は、概ね一定の温度（すなわち、±１０℃以内、±８℃以内、±６℃以内、±４℃以内、±２℃以内、または±１℃以内）に維持され得る。
【００４０】
一実施形態では、装置３００の少なくとも一部分は、ダイ３０２から取り外し可能であり得る。例えば、特定の実施形態では、第１または第２の開口部３０４または３０６は、ダイ３０２から取り外し可能であり得る。特定の実施形態では、第１または第２の開口部３０４または３０６（経路３１４および３１６を含めて）は、ダイ３０２から取り外し可能であり得る。別の実施形態では、整形部分３０８（部分３１８および３２０を含めて）は、ダイ３０２から取り外し可能であり得る。さらなる実施形態では、接合要素３１０は、ダイ３０２から取り外し可能であり得る。別の実施形態では、接合要素３１０は、ダイ３０２から取り外し可能であり得る。さらなる実施形態では、固定要素３１２は、ダイから取り外し可能であり得る。より特定の実施形態では、第１の開口部３０４、第２の開口部３０６、整形部分３０８、接合要素３１０、および固定要素３１２のうちの少なくとも１つは、複数の選択肢の間で交換可能であり、各選択肢は、例えば、サイズ、形状、材料、またはそれらの組み合わせにおいて、他の選択肢とは異なる固有の構成を有している。
【００４１】
管状体１００を形成するために、第１および第２の積層構造体をダイ３０２の第１の部分に付勢することができ、第１の部分は、開口部３０４および３０６を含む。第１の積層構造体が第１の半円形幾何形状を形成し、第２の積層構造体が第２の半円形幾何形状を形成するように、積層構造体の少なくとも１つ、例えば両方ともをダイの中に付勢することができる。一実施形態において、第１および第２の半円形幾何形状の形成は、ダイ３０２の整形部分３０８で行うことができる。次いで、第１および第２の半円形幾何形状は、例えばそれらの円周端部に沿って互いに接触させられ、接合されて円形幾何形状の管を形成することができる。
【００４２】
回転要素４００によって供給される回転力のような、回転力は、第１および第２の半円形幾何形状または管状体１００の少なくとも１つにそって選択的に適用することができ、最終的に形成された管状体１００内の溶接線の発生を低減することができる。一実施形態では、回転力は、第１および第２の半円形幾何形状の接合と同時に、または概ね同時に加えられる。別の実施形態では、回転力は、第１および第２の半円形幾何形状を一緒に固定すると同時に、または概ね同時に加えられる。
【００４３】
一実施形態において、第１および第２の積層構造体は、上述した第１のタイプの層２０２などの複数の第１のタイプの層および上述した第２のタイプの層２０４などの複数の第２のタイプの層を提供することによって形成することができる。第１および第２のタイプの層２０２および２０４は、所望の配列（上記）に配列することができ、積層され得る。積層は、熱、カレンダー加工、またはそれらの組み合わせの適用によって生じ得る。一実施形態では、積層構造体は、その形成プロセスの少なくとも一部の間、概ね平面である。別の実施形態では、第１および第２の積層構造体は、互いに比較して同じ配列を有することができる。すなわち、第１の積層構造体は、第１の層配列を有することができ、第２の積層構造体は、第１の層配列と同じ第２の層配列を有することができる。別の実施形態では、第１および第２の層配列は、互いに異なることができる。一実施形態では、第１の積層構造体は、第２の積層構造体と同じ厚さを有する。別の実施形態では、第１の積層構造体は、第２の積層構造体と比較して異なる厚さを有する。接着剤または他の中間層を、第１または第２の積層構造体の１つ以上の隣接する層の間に配設することができる。
【００４４】
多くの異なる態様および実施形態が可能である。それらの態様および実施形態のいくつかを以下に記載する。本明細書を読んだ後、当業者は、それらの態様および実施形態が単に例証的なものであり、本発明の範囲を限定しないことを認識するであろう。実施形態は、下記に列挙される実施形態のうちのいずれか１つ以上に従い得る。
【００４５】
実施形態１．管状体であって、
複数の第１のタイプの層と、
一対の隣接する第１のタイプの層の間にそれぞれ配設された複数の第２のタイプの層と、を備え、
複数の第１のタイプの層は、少なくとも３つの第１のタイプの層を含み、複数の第２のタイプの層は、少なくとも３つの第２のタイプの層を含み、同じ温度で測定したとき、複数の第１のタイプの層の各々のメルトフローインデックスＭＦＩ１は、複数の第２のタイプの層の各々のメルトフローインデックスＭＦＩ２とは異なる、管状体。
【００４６】
実施形態２．管状体であって、
少なくとも１０の層を含む細長い構造体を備え、前記層は、
複数の第１のタイプの層と、
複数の第２のタイプの層と、を備え、
第１のタイプの層は、基準温度で測定したときに第１の粘度Ｖ１を有し、第２のタイプの層は、基準温度で測定したときに第２の粘度Ｖ２を有し、Ｖ１／Ｖ２は、少なくとも１．０１、少なくとも１．０５、少なくとも１．５、少なくとも２．０、少なくとも３．０、少なくとも４．０、少なくとも５．０、少なくとも１０．０、または少なくとも２５．０である、管状体。
【００４７】
実施形態３．管状体であって、
複数の層を含む細長い構造体を備え、最も内側の層は、細長い構造体の少なくとも一部に沿って延在する開口を画定し、半径方向に隣接する層は異なる材料を含み、前記異なる材料は、同じ基準温度で測定したときに異なる粘度を有する、管状体。
【００４８】
実施形態４．実施形態１および３のいずれか１つに記載の管状体であって、第１のタイプの層は、基準温度で測定したときに第１の粘度Ｖ１を有し、第２のタイプの層は、基準温度で測定したときに第２の粘度Ｖ２を有し、Ｖ１／Ｖ２は、少なくとも１．０１、少なくとも１．０５、少なくとも１．５、少なくとも２．０、少なくとも３．０、少なくとも４．０、少なくとも５．０、少なくとも１０．０、または少なくとも２５．０である、管状体。
【００４９】
実施形態５．実施形態１、３および４のいずれか１つに記載の管状体であって、Ｖ１／Ｖ２が２００．０以下、１００．０以下、または５０以下である、管状体。
【００５０】
実施形態６．実施形態２〜５のいずれか１つに記載の管状体であって、基準温度が高温であるか、または基準温度が、第１のタイプの層および第２のタイプの層の材料が容易に流れる温度である、管状体。
【００５１】
実施形態７．実施形態２〜６のいずれか１つに記載の管状体であって、第１のタイプの層は、メルトフローインデックスＭＦＩ１を有し、第２のタイプの層は、メルトフローインデックスＭＦＩ２を有し、ＭＦＩ１はＭＦＩ２とは異なる、管状体。
【００５２】
実施形態８．実施形態２〜７のいずれか１つに記載の管状体であって、ＭＦＩ１は、少なくとも１．０１ＭＦＩ２、少なくとも１．０５ＭＦＩ２、少なくとも１．１ＭＦＩ２、少なくとも１．５ＭＦＩ２、少なくとも２．０ＭＦＩ２、少なくとも３．０ＭＦＩ２、少なくとも４．０ＭＦＩ２、少なくとも５．０ＭＦＩ２、または少なくとも１０．０ＭＦＩ２である、管状体。
【００５３】
実施形態９．実施形態１、７および８のいずれか１つに記載の管状体であって、ＭＦＩ１は、２００．０ＭＦＩ２以下、１００．０ＭＦＩ２以下、または５０ＭＦＩ２以下である、管状体。
【００５４】
実施形態１０．実施形態１〜９のいずれか１つに記載の管状体であって、第１のタイプの層は、第１の厚さを有し、第２のタイプの層は、第２の厚さを有し、第１の厚さは、第２の厚さとは異なる、管状体。
【００５５】
実施形態１１．実施形態１０に記載の管状体であって、第１の厚さは、第２の厚さの少なくとも１０１％、第２の厚さの少なくとも１０５％、第２の厚さの少なくとも１１０％、第２の厚さの少なくとも１５０％、第２の厚さの少なくとも２００％、または第２の厚さの少なくとも５００％である、管状体。
【００５６】
実施形態１２．実施形態１０に記載の管状体であって、第２の厚さは、第１の厚さの少なくとも１０１％、第１の厚さの少なくとも１０５％、第１の厚さの少なくとも１１０％、第１の厚さの少なくとも１５０％、第１の厚さの少なくとも２００％、または少なくとも５００％の第１の厚さである、管状体。
【００５７】
実施形態１３．実施形態１〜１２のいずれか１つに記載の管状体であって、管状体は、本質的に溶接線を含まない、管状体。
【００５８】
実施形態１４．実施形態１〜１３のいずれか１つに記載の管状体であって、第１のタイプの層および第２のタイプの層のうちの少なくとも１つは、管状体からの炭化水素、アルコール、気体、液体、またはそれらの組み合わせの漏出に対して障壁を提供するように適合されている、管状体。
【００５９】
実施形態１５．実施形態１〜１４のいずれか１つに記載の管状体であって、
少なくとも１つの第３のタイプの層をさらに備える、管状体。
【００６０】
実施形態１６．実施形態１５に記載の管状体であって、少なくとも１つの第３のタイプの層は、第１のタイプの層のメルトフローインデックスＭＦＩ１および第２のタイプの層のメルトフローインデックスＭＦＩ２とは異なる、メルトフローインデックスＭＦＩ３を有する、管状体。
【００６１】
実施形態１７．実施形態１５に記載の管状体であって、少なくとも１つの第３のタイプの層は、第１のタイプの層のメルトフローインデックスＭＦＩ１または第２のタイプの層のメルトフローインデックスＭＦＩ２の少なくとも１つと同じ、メルトフローインデックスＭＦＩ３を有する、管状体。
【００６２】
実施形態１８．実施形態１６に記載の管状体であって、ＭＦＩ３は、ＭＦＩ１およびＭＦＩ２未満、ＭＦＩ３は、ＭＦＩ１およびＭＦＩ２の間、またはＭＦＩ３は、ＭＦＩ１およびＭＦＩ２より大きい、管状体。
【００６３】
実施形態１９．実施形態１５〜１８のいずれか１つに記載の管状体であって、少なくとも１つの第３のタイプの層は、少なくとも５つの層、少なくとも１０の層、少なくとも２０の層、少なくとも５０の層、少なくとも１００の層、または少なくとも１０００の層を備える、管状体。
【００６４】
実施形態２０．実施形態１５〜１９のいずれか１つに記載の管状体であって、少なくとも１つの第３のタイプの層は、１０，０００以下の層、５，０００以下の層、または２，０００以下の層を備える、管状体。
【００６５】
実施形態２１．実施形態１５〜２０のいずれか１つに記載の管状体であって、少なくとも１つの第３のタイプの層は、第１のタイプの層と第２のタイプの層との間、隣接する第１のタイプの層の間、または隣接する第２のタイプの間に配設された層を備える、管状体。
【００６６】
実施形態２２．実施形態１５〜２１のいずれか１つに記載の管状体であって、第３のタイプの層は、充填剤を含む、管状体。
【００６７】
実施形態２３．実施形態１〜２２のいずれか１つに記載の管状体であって、管状体は、少なくとも２０の層、少なくとも５０の層、少なくとも１００の層、少なくとも２００の層、少なくとも５００の層、少なくとも１０００の層、または少なくとも２０００の層を備える、管状体。
【００６８】
実施形態２４．実施形態１〜２３のいずれか１つに記載の管状体であって、管状体は、２０，０００以下の層、１５，０００以下の層、１０，０００以下の層、または５，０００以下の層を備える、管状体。
【００６９】
実施形態２５．実施形態１〜２４のいずれか１つに記載の管状体であって、各々の層は、管状体の中心軸に対して層の周囲の周りを測定して、概ね均一な半径を有する、管状体。
【００７０】
実施形態２６．実施形態１〜２５のいずれか１つに記載の管状体であって、複数の第１のタイプの層の各々は、熱可塑性プラスチックを含み、複数の第２のタイプの層の各々は、熱可塑性プラスチックまたはその組み合わせを含む、管状体。
【００７１】
実施形態２７．実施形態１〜２６のいずれか１つに記載の管状体であって、第１および第２のタイプの層のうちの少なくとも１つは、ポリ（メタクリル酸メチル）（ＰＭＭＡ）、アクリロニトリルブタジエンスチレン（ＡＢＳ）、ポリアミド、ポリベンズイミダゾール（ＰＢＩ）、ポリカーボネート（ＰＣ）、ポリエーテルスルホン（ＰＥＳ）、ポリエーテルエーテルケトン（ＰＥＥＫ）、ポリエーテルイミド（ＰＥＩ）、ポリエチレン（ＰＥ）、ポリフェニレンオキシド（ＰＰＯ）、ポリフェニレンスルフィド（ＰＰＳ）、ポリプロピレン（ＰＰ）、ポリスチレン、ポリ塩化ビニル（ＰＶＣ）、ポリフッ化ビニリデン（ＰＶＤＦ）、ポリテトラフルオロエチレン（ＰＴＦＥ）、スチレンエチレンブチレンスチレン（ＳＥＢＳ）、ポリ（スチレンブタジエンスチレン）（ＳＢＳ）、熱可塑性ポリウレタン（ＴＰＵ）、エチレンビニルアルコール（ＥＶＯＨ）、天然ゴム、またはそれらの任意の組み合わせを含む、管状体。
【００７２】
実施形態２８．実施形態１〜２７のいずれか１つに記載の管状体であって、第１および第２のタイプの層のうちの少なくとも１つは、充填剤を含む、管状体。
【００７３】
実施形態２９．実施形態１〜２８のいずれか１つに記載の管状体であって、管状体は、管状体の最外面に沿って配設された外層を含み、最外層は、厚さ、材料、多孔性、可撓性、弾性、不活性、またはそれらの任意の組み合わせにおいて、他の層とは異なる、管状体。
【００７４】
実施形態３０．多重管を形成するプロセスであって、
第１の積層構造体をダイの第１の部分に付勢することと、
第２の積層構造体をダイの第２の部分に付勢することと、
ダイ内に、第１の積層構造体が第１の半円形幾何形状を形成し、第２の積層構造体が第２の半円形幾何形状を形成するように、第１および第２の積層構造体の付勢を継続することと、
第１の半円形幾何形状を前記第２の半円形幾何形状に接触させることと、
第１の半円形幾何形状と第２の半円形幾何形状とを一緒に接合することと、を含む、プロセス。
【００７５】
実施形態３１．実施形態３０に記載のプロセスであって、
第１および第２の半円形幾何形状の少なくとも１つに沿って回転力を加えることをさらに含む、プロセス。
【００７６】
実施形態３２．実施形態３１に記載のプロセスであって、回転力は、第１および第２の半円形幾何形状を一緒に接合するのと同時に加えられる、プロセス。
【００７７】
実施形態３３．実施形態３１および３２のいずれか１つに記載のプロセスであって、回転力は、第１および第２の半円形幾何形状を一緒にするのと同時に加えられる、プロセス。
【００７８】
実施形態３４．実施形態３１〜３３のいずれか１つに記載のプロセスであって、回転力は、第１または第２の半円形幾何形状の内面に沿って、第１または第２の半円形幾何形状の外面に沿って、またはそれらの組み合わせに沿って加えられる、プロセス。
【００７９】
実施形態３５．実施形態３４に記載のプロセスであって、回転力は、内面および外面に沿って加えられ、内面に沿った回転力は、外面に沿った回転力と比較して反対方向に向けられる、プロセス。
【００８０】
実施形態３６．実施形態３１〜３５のいずれか１つに記載のプロセスであって、回転は、０．１回転／分（ＲＰＭ）〜５００ＲＰＭの範囲で、１ＲＰＭ〜１００ＲＰＭの範囲で、１０ＲＰＭ〜９０ＲＰＭの範囲で、２５ＲＰＭ〜８８ＲＰＭの範囲で、または５０ＲＰＭ〜８５ＲＰＭの範囲で行われる、プロセス。
【００８１】
実施形態３７．実施形態３１〜３６のいずれか１つに記載のプロセスであって、回転は、８０ＲＰＭ〜８５ＲＰＭの範囲で行われる、プロセス。
【００８２】
実施形態３８．実施形態３１〜３７のいずれか１つに記載のプロセスであって、回転力は、ダイの少なくとも１つの表面によって第１および第２の半円形幾何形状に加えられ、前記表面はモータによって駆動される、プロセス。
【００８３】
実施形態３９．実施形態３８に記載のプロセスであって、モータは、１つ以上のプーリー、ギア、ラック、ピニオン、ネジ、他の適切な機械的機構、またはそれらの組み合わせを介して前記表面に連結される、プロセス。
【００８４】
実施形態４０．実施形態３０〜３９のいずれか１つに記載のプロセスであって、
複数の第１のタイプの層および複数の第２のタイプの層を提供することと、
第１のスタックを形成するために、第１のタイプの層および第２のタイプの層を所望の配列に配列することと、
第１のスタックを積層することと、によって第１の積層構造体を形成すること、をさらに含む、プロセス。
【００８５】
実施形態４１．実施形態３０〜４０のいずれか１つに記載のプロセスであって、
複数の第１のタイプの層および複数の第２のタイプの層を提供することと、
第２のスタックを形成するために、第１のタイプの層および第２のタイプの層を所望の配列に配列することと、
第２のスタックを積層することと、によって第２の積層構造体を形成することをさらに含む、プロセス。
【００８６】
実施形態４２．実施形態４０および４１のいずれか１つに記載のプロセスであって、第１および第２の積層構造体のうちの少なくとも１つは、ダイの中に付勢される前には概ね平面である、プロセス。
【００８７】
実施形態４３．実施形態４０〜４２のいずれか１つに記載のプロセスであって、第１または第２のスタックは、交互の第１および第２のタイプの層を含む、プロセス。
【００８８】
実施形態４４．実施形態４０〜４３のいずれか１つに記載のプロセスであって、第１のスタックの所望の配列は、第２のスタックの所望の配列と同じである、プロセス。
【００８９】
実施形態４５．実施形態４０〜４４のいずれか１つに記載のプロセスであって、第１および第２のスタックのうちの少なくとも１つは、少なくとも５つの層、少なくとも２０の層、少なくとも１００の層、少なくとも５００の層、少なくとも１０００の層、少なくとも２０００の層、または少なくとも５０００の層を含む、プロセス。
【００９０】
実施形態４６．実施形態４０〜４５のいずれか１つに記載のプロセスであって、第１および第２のスタックのうちの少なくとも１つは、２０，０００以下の層または１０，０００以下の層を含む、プロセス。
【００９１】
実施形態４７．実施形態４０〜４６のいずれか１つに記載のプロセスであって、第１または第２のスタックを積層することは、熱、カレンダー加工、またはそれらの組み合わせの適用によって行われる、プロセス。
【００９２】
実施形態４８．実施形態４０〜４７のいずれか１つに記載のプロセスであって、第１および第２のスタックのうちの少なくとも１つは、その中の少なくとも２つの隣接する層の間に配設された接着剤を含む、プロセス。
【００９３】
実施形態４９．実施形態４０〜４８のいずれか１つに記載のプロセスであって、ダイの第１の部分は第１の開口部を備え、ダイの第２の部分は第２の開口部を備え、第１の積層構造体は第１の開口部内に付勢され、第２の積層構造体は第２の開口部内に付勢される、プロセス。
【００９４】
実施形態５０．実施形態４９に記載のプロセスであって、第１および第２の開口部は、互いに概ね平行である、プロセス。
【００９５】
実施形態５１．実施形態４９および５０のいずれか１つに記載のプロセスであって、第１の開口部は、第１の側面および第２の側面を有し、第２の開口部は、第１の側面および第２の側面を有し、第１および第２の開口部の第１の側面は、直線に沿っており、第１および第２の開口部の第２の側面は、第２の直線に沿っており、第１の線は第２の線と平行である、プロセス。
【００９６】
実施形態５２．実施形態３１〜５１のいずれか１つに記載のプロセスであって、第１の半円形幾何形状と第２の半円形幾何形状とを一緒に接合することは、
第１および第２の半円形幾何形状を円周端部で溶接することを含む、プロセス。
【００９７】
実施形態５３．多重管状体を形成するように適合された装置であって、
ダイを備え、ダイは、
第１の開口部および第２の開口部であって、第１の開口部は第１の積層構造体を受け入れるように構成され、第２の開口部は第２の積層構造体を受け入れるように構成された、第１の開口部および第２の開口部と、
第１の積層構造体を第１の半円形幾何形状に整形し、第２の積層構造体を第２の半円形幾何形状に整形するように適合された整形部分と、
第１および第２の半円形幾何形状を一緒に接合するように適合された接合要素と、
第１の半円形幾何学形状および第２の半円形幾何形状を一緒に固定するように適合された固定要素と、を備える、装置。
【００９８】
実施形態５４．実施形態５３に記載の装置であって、第１の開口部が第２の開口部と平行である、装置。
【００９９】
実施形態５５．実施形態５３および５４のいずれか１つに記載の装置であって、第１および第２の開口部のうちの少なくとも１つは、概ね平面の開口部を含む、装置。
【０１００】
実施形態５６．実施形態５３〜５５のいずれか１つに記載の装置であって、ダイは、
少なくとも第１の半円形幾何学形状の一部または第２の半円形幾何形状の一部を回転させるように適合された回転要素をさらに備える、装置。
【０１０１】
実施形態５７．実施形態５６に記載の装置であって、回転要素は、第１または第２の半円形幾何形状のうちの少なくとも１つを内面、外面、またはそれらの組み合わせに沿って回転させるように適合されている、装置。
【０１０２】
実施形態５８．実施形態５６および５７のいずれか１つに記載の装置であって、回転要素は、０．１回転／分（ＲＰＭ）〜５００ＲＰＭの範囲で、１ＲＰＭ〜１００ＲＰＭの範囲で、１０ＲＰＭ〜９０ＲＰＭの範囲で、２５ＲＰＭ〜８８ＲＰＭの範囲で、または５０ＲＰＭ〜８５ＲＰＭの範囲で回転するように適合されている、装置。
【０１０３】
実施形態５９．実施形態５６〜５８のいずれか１つに記載の装置であって、回転要素は、８０ＲＰＭ〜８５ＲＰＭの範囲の速度で回転するように適合されている、装置。
【０１０４】
実施形態６０．実施形態５６〜５９のいずれか１つに記載の装置であって、固定要素は、第１の半円形幾何形状の円周端部を第２の半円幾何形状の円周端部と溶融するように適合された溶接要素を備える、装置。
【０１０５】
実施形態６１．実施形態５６〜６０のいずれか１つに記載の装置であって、固定要素は、接合要素に隣接して配設される、装置。
【０１０６】
実施形態６２．実施形態５６〜６１のいずれか１つに記載の装置であって、固定要素は、第１および第２の半円形の幾何学形状が接合要素を通過するのと実質的に同時に、第１および第２の半円形幾何形状を一緒に固定するように適合されている、装置。
【０１０７】
実施形態６３．実施形態５６〜６２のいずれか１つに記載の装置であって、第１の開口部、第２の開口部、整形部分、接合要素、および固定要素のうちの少なくとも１つがダイから取り外し可能である、装置。
【０１０８】
実施形態６４．実施形態５６〜６３のいずれか１つに記載の装置であって、第１の開口部、第２の開口部、整形部分、接合要素、および固定要素のうちの少なくとも１つが複数の選択肢の間で交換可能であり、複数の選択肢の各々は、他の選択肢とは異なる固有の構成を備える、装置。
【０１０９】
実施形態６５．実施形態６４に記載の装置であって、複数の選択肢は、少なくとも第１の選択肢および第２の選択肢を含み、第１および第２の選択肢は、サイズ、形状、または材料のうちの少なくとも１つにおいて異なる、装置。
【０１１０】
実施形態６６．実施形態５６〜６５のいずれか１つに記載の装置であって、ダイは、第１および第２の積層構造体のうちの少なくとも１つを第１または第２の開口部にそれぞれ移すように適合されたアダプタをさらに備える、装置。
【０１１１】
概要または実施例にて上述の行為の全てが必要とされるわけではないこと、特定の行為のうちの一部分は必要とされない場合があること、また１つ以上のさらなる行為が記載のものに加えて実施される場合があることに留意されたい。またさらに、行為が列挙される順序は、必ずしもそれらが実施される順序ではない。
【０１１２】
明瞭性のために、別個の実施形態の文脈において本明細書に記載のある種の特徴は、単一の実施形態において組み合わせて提供されてもよい。逆に、簡潔性のために、単一の実施形態の文脈に記載の様々な特徴はまた、別個にまたは任意の下位組み合わせで提供されてもよい。さらに、範囲内に記載の値への言及は、その範囲内の各値および全ての値を含む。
【０１１３】
利益、他の利点、および問題の解決策が、特定の実施形態に関して上に記載されている。しかしながら、任意の利益、利点、または解決策を生じさせるか、またはより明白にさせることができる利益、利点、問題の解決策、および任意の特徴（複数可）は、特許請求の範囲のうちのいずれかまたは全ての決定的な、必須の、または本質的な特徴と解釈されるべきではない。
【０１１４】
本明細書に記載の実施形態の明細書および例証は、様々な実施形態の構造の一般的な理解を提供することを意図される。本明細書および図解は、本明細書に記載の構造または方法を使用する装置およびシステムの要素および特徴の全ての徹底的および包括的説明として機能することを意図しない。別個の実施形態はまた、単一の実施形態において組み合わせて提供されてもよく、反対に、簡潔さのために単一の実施形態の文脈に記載の様々な特徴もまた、別個にまたは任意の下位組み合わせで提供されてもよい。さらに、範囲内に記載の値への言及は、その範囲内の各値および全ての値を含む。多数の他の実施形態は、本明細書を単に読んだ後にのみ当業者に明らかとなり得る。構造的置換、論理的置換、または別の変更が本開示の範囲から逸脱することなくなされることができるように、他の実施形態は、使用されかつそれから派生してもよい。したがって、本開示は、制限的であるよりもむしろ例証的であるとみなされるべきである。
【図１】
2019516931.tif 000003
【図２】
2019516931.tif 000004
【図３】
2019516931.tif 000005
【図４】
2019516931.tif 000006
【国際調査報告】
2019516931.tif 000007
2019516931.tif 000008
2019516931.tif 000009